(57)【要約】      （修正有）【課題】マウス操作時等において、操作者の腕部が肘側に向かって降下するようにし、操作者の腕部周りの動作が円滑になるようにするアームサポート装置を提供する。【解決手段】固定部材への取付部を成すとともに他の部材の回転運動を支持するように形成された支点を有するクランプ機構１と、クランプ機構１に形成された回転運動支点Ｏ１−Ｏ１を基点にして回転運動が可能なように取付けられるものであって所定の長さを有するとともにベース２２及びカバー２３からなるアームアセンブリ２と、アームアセンブリ２を形成するカバー２３の上方側に設けられるものであってアームアセンブリ２の長手方向への移動が可能なように取付けられるとともに操作者の腕部の一部である肘部のところを保持するように形成された肘置きホルダ３と、からなる。【選択図】図１
2015130077.tif 000002
【特許請求の範囲】
【請求項１】
固定部材への取付部を成すとともに他の部材の回転運動を支持するように形成された支点を有するクランプ機構と、当該クランプ機構に形成された回転運動支点を基点にして回転運動が可能なように設けられるものであって所定の傾斜角を有した状態で取付けられるとともにベース及びカバーにて形成されるアームアセンブリと、当該アームアセンブリを形成する上記カバーの上方側に設けられるものであって当該アームアセンブリの長手方向への移動が可能なように取付けられるとともに操作者の腕部の一部である肘部のところを保持するように形成された肘置きホルダと、からなるようにしたことを特徴とするアームサポート装置。
【請求項２】
請求項１記載のアームサポート装置において、上記アームアセンブリを、上記クランプ機構を形成する回転運動支点を基点にして回転運動可能なように、かつ、所定の傾斜角を有した状態で取付けられるベースアームと、当該ベースアームの上側に設けられ、かつ、当該ベースアーム上を相対スライド移動可能なように形成されるものであって、上記ベースアームの一方の端部側に設けられた軸受部のところをスライド移動が可能なように設けられたスライドシャフトを内部に有するスライドアームと、当該スライドアームの一方の端部側であって、その上側に設けられるとともに操作者の腕部の一部である肘部のところを保持するように形成された肘置きホルダと、からなるようにしたことを特徴とするアームサポート装置。
【請求項３】
請求項１または請求項２記載のアームサポート装置において、上記クランプ機構を、固定部材への取付部を成すクランプ部と、当該クランプ部と対の状態で設けられるものであって上記アームアセンブリの一方の端部がヒンジピンを介して回転自在なように取付けられるヒンジ部と、からなるようにするとともに、当該ヒンジ部を形成するヒンジピンのところに、上記アームアセンブリの一方の端部側が上記ヒンジピンの軸芯方向に所定量弾性変位することが可能なように取付けられるスプリングを有するようにした構成からなることを特徴とするアームサポート装置。
【請求項４】
請求項１記載のアームサポート装置において、上記アームアセンブリを、所定の長さを有するベースと、当該ベース上に設けられるものであってガイドレール状の形態からなるスライドシャフトと、当該スライドシャフト上をスライド移動が可能なように設けられるものであって上記肘置きホルダを保持するように形成されたスライダと、からなるようにしたことを特徴とするアームサポート装置。
【請求項５】
請求項４記載のアームサポート装置において、上記スライドシャフト上に設けられるスライダを、間にブッシュを介して取付けるようにした構成からなることを特徴とするアームサポート装置。
【請求項６】
請求項４または請求項５記載のアームサポート装置において、上記スライダを、スライドシャフト上のスライド移動が可能なように形成されたブロック状形態からなるものであって、その下面側にはベースに形成された凹溝と係合するとともに当該凹溝上をスライド移動可能なように形成された凸起状のガイド部を有するようにした構成からなることを特徴とするアームサポート装置。
【発明の詳細な説明】
【技術分野】
【０００１】
本発明は、パーソナルコンピュータ、あるいはワードプロセッサ等におけるキーボードまたはマウス等の操作時において、手または腕、更には肩等に生ずる疲労感をできるかぎり低減化させるようにしたアームサポート装置に関するものである。
【背景技術】
【０００２】
従来の上記装置としては、例えば実用新案登録第３０７７７７０号公報、あるいは特開２００２−５１８６２号公報記載のもの等が挙げられる。
【先行技術文献】
【特許文献】
【０００３】
【特許文献１】実用新案登録第３０７７７７０号公報
【特許文献２】特開２００２−５１８６２号公報
【発明の概要】
【発明が解決しようとする課題】
【０００４】
ところで、上記従来のものは、アームサポートを形成する肘載せ部のところが、テーブル等に固定されたピボット部を支点にして所定の角度範囲内だけ水平移動できるようになっているものである。このような構成からなる肘載せ部上に保持された状態のアーム（腕）の先にある手指を動かすことによって、マウスの操作あるいはキーボードの操作等が行なえるようになっているものである。しかしながら、このような操作運動は、常にテーブル等の面と平行なように形成されたある一定の平面内にて行われるようになっているものであるため、操作者は長時間の作業において、腕、肩等に違和感あるいは疲労感を感ぜざるを得ないと言う問題点を有する。このような問題点を解決するために、マウスの操作時において、操作者の腕の部分が肘側に向かって降下するような形態を採るようにし、これによって操作者の腕部周りの作動が操作者の生体感覚に合致した状態で行われるようにしたアームサポート装置を提供しようとするのが、本発明の目的（課題）である。
【課題を解決するための手段】
【０００５】
上記課題を解決するために、本発明においては次のような手段を講ずることとした。すなわち、請求項１記載の発明である第一の発明においては、アームサポート装置に関して、固定部材への取付部を成すとともに他の部材の回転運動を支持するように形成された支点を有するクランプ機構と、当該クランプ機構に形成された回転運動支点を基点にして回転運動が可能なように設けられるものであって所定の傾斜角を有した状態で取付けられるとともにベース及びカバーにて形成されるアームアセンブリと、当該アームアセンブリを形成する上記カバーの上方側に設けられるものであって当該アームアセンブリの長手方向への移動が可能なように取付けられるとともに操作者の腕部の一部である肘部のところを保持するように形成された肘置きホルダと、からなるようにした構成を採ることとした。
【０００６】
次に、請求項２記載の発明である第二の発明においては、請求項１記載のアームサポート装置に関して、上記アームアセンブリを、上記クランプ機構を形成する回転運動支点を基点にして回転運動可能なように、かつ、所定の傾斜角を有した状態で取付けられるベースアームと、当該ベースアームの上側に設けられ、かつ、当該ベースアーム上を相対スライド移動が可能なように形成されるものであって、上記ベースアームの一方の端部側に設けられた軸受部のところをスライド移動可能なように設けられたスライドシャフトを内部に有するスライドアームと、当該スライドアームの一方の端部側であって、その上側に設けられるとともに操作者の腕部の一部である肘部のところを保持するように形成された肘置きホルダと、からなるようにした構成を採ることとした。
【０００７】
次に、請求項３記載の発明である第三の発明においては、請求項１または請求項２記載のアームサポート装置に関して、上記クランプ機構を、固定部材への取付部を成すクランプ部と、当該クランプ部と対の状態で設けられるものであって上記アームアセンブリの一方の端部がヒンジピンを介して回転自在なように取付けられるヒンジ部と、からなるようにするとともに、当該ヒンジ部を形成するヒンジピンのところに、上記アームアセンブリの一方の端部側が上記ヒンジピンの軸芯方向に所定量弾性変位することが可能なように取付けられるスプリングを有するようにした構成を採ることとした。
【０００８】
次に、請求項４記載の発明である第四の発明においては、請求項１記載のアームサポート装置に関して、上記アームアセンブリを、所定の長さを有するベースと、当該ベース上に設けられるものであってガイドレール状の形態からなるスライドシャフトと、当該スライドシャフト上をスライド移動が可能なように設けられるものであって上記肘置きホルダを保持するように形成されたスライダと、からなるようにした構成を採ることとした。
【０００９】
次に、請求項５記載の発明である第五の発明においては、請求項４記載のアームサポート装置に関して、上記スライドシャフト上に設けられるスライダを、間にブッシュを介して取付けるようにした構成を採ることとした。
【００１０】
次に、請求項６記載の発明である第六の発明においては、請求項４または請求項５記載のアームサポート装置に関して、上記スライダを、スライドシャフト上のスライド移動が可能なように形成されたブロック状形態からなるものであって、その下面側にはベースに形成された凹溝と係合するとともに当該凹溝上をスライド移動可能なように形成された凸起状のガイド部を有するようにした構成を採ることとした。
【発明の効果】
【００１１】
請求項１記載の発明である第一の発明のものにおいては、操作者は腕部の一部である肘部のところを肘置きホルダ上に載せた状態でマウスの操作等を円滑に行なうことができるようになる。特に、本発明のものにおいては、肘置きホルダの設置されるアームアセンブリが、クランプ機構を基点にして所定の面内にて作動をするようになっている。更には、上記肘置きホルダがアームアセンブリ上にてその長手方向にスライド移動が可能なようになっている。これらに加えて、更に、上記アームアセンブリは、その取付部であるクランプ機構側を基点にして所定の傾斜角を有した面内にて円弧運動をするようになっている。これらのことより、操作者は、その腕部の先端部側に存在する手首あるいは手指のところを前後方向に、または左右方向に、自由に移動させることができるようになる。これによって、マウスの操作等を円滑に行なうことができるようになる。その結果、長時間のマウス操作等を行っても疲労感を覚えるようなことがない。
【００１２】
次に、請求項２記載の発明である第二の発明のものにおいては、アームアセンブリが、回転運動支点側に設けられるベースアームと、当該ベースアームに対して、その長手方向に相対スライド移動が可能なように設けられるスライドアームと、からなるとともに、このようなスライドアームの一方の端部側には肘置きホルダが設けられるようになっている。これらに加えて、更に、上記アームアセンブリは、上記第一の発明のところで述べたと同様、その取付部であるクランプ機構側を基点にして所定の傾斜角を有した面内にて円弧運動をするようになっている。これらのことより、操作者の肘部側は常に指先側よりも下方に下がった状態で保持されることとなる。その結果、操作者は、この肘置きホルダのところに肘部を載せた状態においてマウスの操作を円滑に行なうことができるようになる。
【００１３】
次に、請求項３記載の発明である第三の発明のものにおいては、アームアセンブリの一方の端部のところが、ヒンジ部を形成するヒンジピンのところを基点にしてアームアセンブリ全体が揺動運動可能なようになっている。そして更に、上記ヒンジピンのところには、当該ヒンジピンの軸線方向に反力の作用するスプリングが設けられるようになっている。これらのことより、操作者が上記肘置きホルダ上に肘部を載せた状態でマウスの操作等を行なおうとした場合、アームアセンブリ全体が上記ヒンジピンのところを支点にして下方へ傾斜した状態で揺動運動をすることとなるが、このとき、操作者の腕部全体は、上記スプリングの作用により、上記傾斜した状態のアームアセンブリを介して下方から全体的に支えられるようになる。その結果、このような状態の操作者は快適な状態でマウスの操作等を円滑に行なうことができるようになる。
【００１４】
次に、請求項４記載の発明である第四の発明のものにおいては、アームアセンブリを、その長手方向に延伸するベースと、当該ベース上に設けられたスライドシャフトと、からなるようにするとともに、当該スライドシャフトのところに、当該スライドシャフト上をスライド移動可能なように形成されたスライダを設けるようにし、そして更に、このようなスライダのところに肘置きホルダを設けるようにしたので、操作者は、この肘置きホルダ上に載せた状態の肘部のところを上記スライドシャフトに沿って前後方向へ移動させるように力を加えることによって操作者の手指等を上記アームアセンブリの取付部である回転運動の支点側へと円滑に移動させることができるようになる。これによって、マウスの操作等を円滑に行なうことができるようになる。
【００１５】
次に、請求項５記載の発明である第五の発明のものにおいては、上記スライドシャフト上をスライド移動するスライダのところに、滑り機能に優れたブッシュを設けるようにしたので、スライダの移動が円滑になり、当該スライダ上に設けられる肘置きホルダのアームアセンブリ長手方向への移動が円滑に行なえるようになる。その結果、操作者にとっては、肘置きホルダ上に載せた（保持された）肘部、更には腕部全体の移動が円滑に行なえるようになり、操作者によるマウスの操作等はより円滑に行なわれることとなる。
【００１６】
次に、請求項６記載の発明である第六の発明のものにおいては、スライダに設けられたガイド部のところがベースの上面側に形成された凹溝のところに係合し、これによって、スライダのスライドシャフト軸芯周りへの回転運動が規制されることとなる。その結果、スライダ上に取付けられる肘置きホルダのアームアセンブリ上における作動中において、そのグラ付き等が抑止されることとなり、肘置きホルダによる操作者の肘部並びに腕部全体の保持が確実に行なわれることとなる。
【図面の簡単な説明】
【００１７】
【図１】本発明の第一の実施形態にかかるものの全体構成を示す展開斜視図である。
【図２】本発明の第二の実施形態にかかるものの全体構成を示す展開斜視図である。
【図３】本発明にかかるクランプ機構部及びヒンジ機構部周りの構成を示す部分断面図である。
【図４】本発明の第一の実施形態にかかるものの全体構成を示す縦断面図である。
【図５】本発明の第二の実施形態にかかるもののスライド部の構造を示す部分断面図である。
【図６】本発明にかかる肘置きホルダの、その取付部の構造を示す部分断面図である。
【図７】本発明におけるアームサポート装置作動時の状態を示す図である。
【図８】本発明における肘置きホルダの作動状態を示す図である。
【図９】本発明にかかるアームサポート装置上に操作者の腕部が載せられた状態におけるマウス及びキーボードの操作時状態を示す平面図である。
【図１０】本発明にかかるスライダのスライドシャフト軸芯周りに関する廻り止め機構を示す図である。
【発明を実施するための形態】
【００１８】
本発明を実施するための形態について、図１ないし図１０を基に説明する。本発明にかかる第一の実施の形態のものは、例えば図１に示す如く、固定部材への取付部を成すとともに他の部材の回転運動を支持するように形成された支点を有するクランプ機構１と、当該クランプ機構１に形成された回転運動支点（Ｏ１Ｏ１）を基点にして回転運動が可能なように取付けられるものであって所定の長さを有するとともにベース２２及びカバー２３からなるアームアセンブリ２と、当該アームアセンブリ２を形成する上記カバー２３の上方側に設けられるものであって当該アームアセンブリ２の長手方向への移動が可能なように取付けられるとともに操作者の腕部５の一部である肘部５５のところを保持するように形成された肘置きホルダ３と、からなることを基本とするものである。
【００１９】
このような基本構成からなるものにおいて、上記クランプ機構１は、固定部材への取付部を成すクランプブラケット１１と、当該クランプブラケット１１と対の状態で設けられるものであって上記アームアセンブリ２の一方の端部２１側がヒンジピン１２１を介して回転自在なように取付けられるヒンジブラケット１２と、からなるものである。そして、このような構成からなるものにおいて、上記ヒンジピン１２１のところには、例えば図３に示す如く、上記アームアセンブリ２の一方の端部２１側が上記ヒンジピン１２１並びにその周りに設けられるスライドブッシュ２６を基礎にして、上記アームアセンブリ２の一方の端部２１側を上方側へ押上げるように作動するスプリング１２２が設けられるようになっている。そして更に、このような構成からなる上記クランプ機構１周りには、上記アームアセンブリ２が上記ヒンジブラケット１２のところに組付けられた状態において、上記アームアセンブリ２の端部２１周りを覆うように形成されたプラスチック製のクランプホルダ６、６’が取付ボルト１５、１６等を介して取付けられ、全体が一体的にまとめられるようになっている。このような構成を採ることにより、上記アームアセンブリ２を形成するカバー２３のヒンジピン１２１への取付部のところが、上記スプリング１２２の作用により常に上方へと持ち上げられるようになり、肘置きホルダ３を介して入力される操作者の肘部からの入力荷重に対して、上記アームアセンブリ２全体が上方に持ち上げられるようになる。その結果、本アームアセンブリ２の回転運動が円滑に保持されることとなる。
【００２０】
このような構成からなるものにおいて、上記肘置きホルダ３周りの構成について、図１または図４を基に説明する。まず、肘置きホルダ３の具体的構成は、図１に示す如く、凹面状の形態からなるものであって操作者の肘部５５全体を保持するように形成されたホルダ３１と、当該ホルダ３１上に設けられるものであって適度のクッション性を有するパッドホルダ３２と、当該パッドホルダ３２上に設置されるものであって操作者の肘部５５が直接触れる肘置きパッド３３と、からなるものである。このような構成からなるものにおいて、上記ホルダ３１の下面側中央部のところには、後に述べるピボット部材３５が取付けられ、このピボット部材３５の軸中心線を基点にして相対回転運動が可能なようになっている。具体的には、このピボット部材３５は雄ネジ付きベアリングからなるものである。
【００２１】
このような構成からなる上記ピボット部材３５の、その中央部の下面側のところには、雄ネジ部３５５（図１参照）が形成されるようになっており、この雄ネジ部３５５のところがスライダ２７に形成された雌ネジ部２７７のところにネジ結合されるようになっている。そして更に、このようなスライダ２７は、例えば図４に示す如く、内部に設けられるスライドブッシュ２６を介して上記ベース２２上に設けられたスライドシャフト２８のところにスライド移動可能なように取付けられるようになっている。これによって、上記肘置きホルダ３は、上記スライドシャフト２８上を、その長手方向に沿ってスライド移動が可能となる。なお、上記肘置きホルダ３のこのようなスライド移動に対応させるため、上記スライドシャフト２８等を覆うように設けられたカバー２３の上面側のところには上記肘置きホルダ３の下面側に設けられたピボット部材３５の移動が可能なように形成された開口部２３５が設けられるようになっている。このような構成を採ることにより、上記肘置きホルダ３はアームアセンブリ上において、その長手方向への移動が可能になるとともに、本アームアセンブリ２上の長手方向各点において、上記アームアセンブリ２の上面に対して平行な所定の平面内にて回転運動が可能となる。すなわち、上記ピボット部材３５の軸芯を中心にして所定の平面内にて自転運動をすることができるようになる。
【００２２】
次に、このような構成からなるアームアセンブリ２のヒンジピン１２１を基点にした取付状態について説明する。このものは、例えば図４に示す如く、アームアセンブリ２は、その全体がヒンジピン１２１のところに回転自在なように取付けられるが、その回転面は、上記ヒンジピン１２１の中心線Ｏ１Ｏ１に対して直角な方向に形成される面（Ｏ２Ｏ２を含む面）を基準にして所定の角度（θ）だけ傾斜した面（Ｏ３Ｏ３を含む面）となる。すなわち、上記肘置きホルダ３のスライド運動の基礎となるスライドシャフト２８の長手方向中心線（Ｏ３Ｏ３）は、上記ヒンジピン１２１を基礎に形成される基礎面（Ｏ２Ｏ２）に対してθの角度だけ傾斜した状態となる。なお、このθの値としては、本実施の形態のものにおいては２°〜５°の範囲の適度な値が採られるようになっている。最も好ましくは約３°の値である。このような傾斜角を採ることによって、例えば図７または図８に示す如く、操作者のマウス操作時等において、操作者が肘部５５を肘置きホルダ３上に載せた場合、操作者のマウス８操作側手指が肘部５５よりも上方側に来るようになり、操作者にとってはマウス８の操作等がやり易い状態となる。
【００２３】
次に、このような構成からなるアームアセンブリ２のところに設けられる上記肘置きホルダ３のスライド作動等について説明する。すなわち、上記肘置きホルダ３は、図１に示す如く、所定の長さを有するものであってＡＢＳ樹脂を含む熱可塑性合成樹脂材にて形成されるベース２２を基礎に形成されるものである。そして、このようなベース２２の上側のところに、所定の長さを有するレール状のスライドシャフト２８が設けられるようになっている。また、このような直線状のスライドシャフト２８のところには、このスライドシャフト２８を包むように、更には当該スライドシャフト２８との間において滑り性の良いように形成されたスライドブッシュ２６が設けられるようになっている。そして更に、このようなスライドブッシュ２６の外側には当該スライドブッシュ２６と一体的にスライダ２７が設けられるようになっている。
【００２４】
なお、このようなスライダ２７の下面部のところには、例えば図１０に示す如く、その横断面形状が凸起状の形態からなるガイド部２７１が本スライダ２７の長手方向に沿うように設けられるようになっている。そして、このようなスライダ２７の下側に設けられるベース２の上面側には、上記スライダ２７に設けられたガイド部２７１と係合するように形成された凹溝（本実施の形態においてはＶ溝）２２２が上記ベース２２の長手方向に直線状に設けられるようになっている。このような凹溝２２２及びガイド部２７１の係合により、スライダ２７のスライドシャフト２８の軸芯Ｏ３周りへの回転運動が規制されることとなり、当該スライダ２７上に取付けられる肘置きホルダ３のアームアセンブリ２上における作動中において、そのグラ付き等が抑止されることとなる。このようなスライダ２７の上方側には円筒状の雌ネジ部２７７が形成されるようになっており、この雌ネジ部２７７のところには、上記肘置きホルダ３の取付に寄与するピボット部材３５に形成された雄ネジ部３５５が係合するようになっている。
【００２５】
そして、このようなスライダ２７等を有するベース２２上にはＡＢＳ樹脂を含む所定の熱可塑性合成樹脂材にて形成されるカバー２３が設けられ、これによってアームアセンブリ２が形成されるようになっている。なお、このようなカバー２３の上面側には上記肘置きホルダ３取付用のピボット部材３５移動用の開口部２３５が形成されるようになっている。従って、このようなアームアセンブリ２を形成するスライダ２７のところに上記肘置きホルダ３が取付けられると、本肘置きホルダ３は上記アームアセンブリ２を形成するカバー２３上を、その長手方向に移動をすることができるようになる。そして、この移動の方向は、上記ヒンジピン１２１に対して直角な方向に形成される基準面（Ｏ２Ｏ２：図４参照）に対して、所定の角度（θ）だけ傾斜した面（Ｏ３Ｏ３）上となり、肘置きホルダ３の移動軌跡は人間工学的に好ましい形態を形成することとなる。
【００２６】
次に、本発明にかかる第二の実施形態について、図２、図５、及び図６を基に説明する。このものも、その基本的な構成は、上記第一の実施の形態のものと同じである。具体的には、図２に示す如く、固定部材への取付部を成すとともに他の部材の回転運動を支持するように形成された支点を有するクランプ機構１と、当該クランプ機構１に形成された回転運動支点（Ｏ１Ｏ１）を基点にして回転運動が可能なように取付けられるものであって所定の長さを有するとともにベースアーム２３１及びスライドアーム２３２からなるアームアセンブリ２’と、当該アームアセンブリ２’を形成する上記スライドアームの先端部の、その上方側に設けられるものであって当該アームアセンブリ２’の長手方向への移動が可能なように取付けられるとともに操作者の腕部５の一部である肘部５５のところを保持するように形成された肘置きホルダ３と、からなるものである。
【００２７】
このように、本第二の実施の形態にかかるものは、基本的には上記第一の実施の形態のところで述べたものと同じ構成からなるものであり、クランプ機構１周りの構成及び機能は全く同じものである。このような構成を採ることにより、上記アームアセンブリ２’を形成するベースアーム２３１のヒンジピン１２１への取付部のところが、上記スプリング１２２の作用により常に上方へと持ち上げられるようになり、肘置きホルダ３を介して入力される操作者の肘部からの入力荷重に対して、上記アームアセンブリ２’全体がヒンジピン１２１の軸芯に沿って上方へと持ち上げられるようになる。その結果、上記アームアセンブリ２’の回転運動が円滑に保持されるようになる。このようなアームアセンブリ２’の具体的構成、特に、ベースアーム２３１とスライドアーム２３２との間における相対スライド機構部の構成について述べる。すなわち、本スライド部の構成は、まず、図５に示す如く、ベースアーム２３１のエンド部のところに設けられた厚肉状の保持部２３１９を基に形成されるようになっている。そして、この保持部２３１９のところには中空部が形成されるようになっており、この中空部のところには円筒状のスライドブッシュ２６が設けられるようになっている。なお、このスライドブッシュ２６は、その内部にボールベアリングを有するベアリングブッシュからなるものである。そして、このようなスライドブッシュ２６の内径側には後に述べるスライドアーム２３２内に設けられたスライドシャフト２８が相対スライド移動可能なように設けられるようになっている。また、上記ベースアーム２３１のエンド部に形成された保持部２３１９の外側のところには、その円周上に複数のボール２９が回転運動可能なように設けられるようになっている。
【００２８】
次に、このような構成からなるベースアーム２３１上に相対スライド移動可能なように設けられるスライドアーム２３２は、基本的には図２に示す如く、所定の長さを有する部材からなるものであって、その横断面形状が逆Ｕ字状の形態からなるスライドアーム本体を基礎に形成されるものである。そして、このようなスライドアーム本体の逆Ｕ字状断面形態を成すものの、その内部にはガイドレール状の形態からなるスライドシャフト２８が一体的に設けられ、これによってスライドアーム２３２が形成されるようになっているものである。このようなスライドシャフト２８は、その一方側が必ず上記ベースアーム２３１のエンド部に形成された保持部２３１９のところに設けられたスライドブッシュ２６内に保持されるとともに、もう一方の端部側はスライドアーム２３２のエンド部２３２９（図６参照）のところに一体的に保持されるようになっているものである。なお、これら構成からなる本アームアセンブリ２’も、上記第一の実施の形態にかかるものと同様、ＡＢＳ樹脂を含む所定の熱可塑性合成樹脂材にて形成されるようになっているものである。
【００２９】
また、このような構成からなる上記スライドアーム２３２のエンド部２３２９のところには、例えば図６に示す如く、厚肉部が形成されるようになっており、このエンド部２３２９のところには、上記第一の実施の形態のものと同様、ピボット部材３５を介して、肘置きホルダ３が所定の面内にて自転運動が可能なように取付けられるようになっている。具体的には、上記肘置きホルダ３を形成するホルダ３１が、その下面側中央部に設けられたピボット部材３５を支点にして自転運動をすることができるようになっている。そして、このような肘置きホルダ３を、そのエンド部２３２９のところに有するスライドアーム２３２が、例えば図５に示す如く、上記ベースアーム２３１の外表面側（上面側）に設置された複数のボール２９上を転がり移動するようになっている。その結果、スライドアーム２３２は、上記ベースアーム２３１の表面上を、その長手方向にスライド移動をすることが可能となる。
【００３０】
次に、このような構成からなるアームアセンブリ２、２’を基礎に形成される本アームサポート装置の作動態様について、図７ないし図９を基に説明する。まず、操作者によるマウス８の操作について説明する。この場合、操作者は、自己の肘部５５を、図７に示す如く、肘置きホルダ３上に載せた状態で腕部５をその前方へと伸ばし、机７の上等に置かれたキーボード９またはマウス８を操作する。この場合、腕部５は、肘部５５が肘置きホルダ３のところに保持された状態となるので、この状態においては、マウス８（図８参照）またはキーボード９（図７参照）を操作する指先側は肘置きホルダ３のところに保持される肘部５５よりも所定の角度（θ：本実施の形態のものにおいては２°〜５°）上がった姿勢状態となる。また、このような状態でマウス８及び腕部５を前後方向へ移動させるような場合、操作者の肘部５５は、図８における二点鎖線図示位置へと移動することとなるが、この場合においても操作者の腕部５は、所定の傾斜角（θ：２°〜５°）を保った状態で肘置きホルダ３を基点にして保持されることとなる。このように、本実施の形態のものにおいては、操作者の腕部５が常に所定の傾斜角（θ）を有した状態で保持されることとなり、操作者にとっては人間工学的に理に適った状態でのマウス８の操作等が維持されることとなる。
【００３１】
また、上記マウス８の操作に換わって、図７または図９に示すようなキーボード９の操作時においては、操作者の腕部５がキーボード９側へと移動することとなる。このような場合においては、操作者の肘部５５を支持する肘置きホルダ３を移動させなければならない。しかしながら、この場合、本実施の形態のものにおいては、上記肘置きホルダ３の取付けられるアームアセンブリ２は、その取付点Ｏ１を支点にして所定の平面内にて回転運動をすることができるようになっているので、操作者の肘部５５は、図９の矢印方向へと移動し、これによって、操作者のキーボード９の操作は円滑に進められることとなる。
【符号の説明】
【００３２】
１  クランプ機構
１１  クランプブラケット
１２  ヒンジブラケット
１２１  ヒンジピン
１２２  スプリング
１５  取付ボルト
１６  取付ボルト
２  アームアセンブリ
２’  アームアセンブリ
２１  端部
２２  ベース
２２２  凹溝
２３  カバー
２３１  ベースアーム
２３１９  保持部
２３２  スライドアーム
２３２９  エンド部
２３５  開口部
２６  スライドブッシュ
２７  スライダ
２７１  ガイド部
２７７  雌ネジ部
２８  スライドシャフト
２９  ボール
３  肘置きホルダ
３１  ホルダ
３２  パッドホルダ
３３  肘置きパッド
３５  ピボット部材
３５５  雄ネジ部
５  腕部
５５  肘部
６  カバー
６’  カバー
７  机
８  マウス
９  キーボード
【図１】
2015130077.tif 000003
【図２】
2015130077.tif 000004
【図３】
2015130077.tif 000005
【図４】
2015130077.tif 000006
【図５】
2015130077.tif 000007
【図６】
2015130077.tif 000008
【図７】
2015130077.tif 000009
【図８】
2015130077.tif 000010
【図９】
2015130077.tif 000011
【図１０】
2015130077.tif 000012
【手続補正書】
【提出日】平成27年3月20日(2015.3.20)
【手続補正１】
【補正対象書類名】特許請求の範囲
【補正対象項目名】請求項２
【補正方法】変更
【補正の内容】
【請求項２】
固定部材への取付部を成すとともに他の部材の回転運動を支持するように形成された支点を有するクランプ機構と、当該クランプ機構に形成された回転運動支点を基点にして回転運動が可能なように設けられるアームアセンブリと、からなるとともに、当該アームアセンブリを、上記クランプ機構を形成する回転運動支点を基点にして回転運動可能なように、かつ、所定の傾斜角を有した状態で取付けられるベースアームと、当該ベースアームの上側に設けられ、かつ、当該ベースアーム上を相対スライド移動可能なように形成されるものであって、上記ベースアームの一方の端部側に設けられた軸受部のところをスライド移動が可能なように設けられたスライドシャフトを内部に有するスライドアームと、からなるようにし、更に、上記スライドアームの一方の端部側であって、その上側に設けられるとともに操作者の腕部の一部である肘部のところを保持するように形成された肘置きホルダを有するようにしたことを特徴とするアームサポート装置。
【手続補正２】
【補正対象書類名】明細書
【補正対象項目名】０００６
【補正方法】変更
【補正の内容】
【０００６】
次に、請求項２記載の発明である第二の発明においては、アームサポート装置に関して、固定部材への取付部を成すとともに他の部材の回転運動を支持するように形成された支点を有するクランプ機構と、当該クランプ機構に形成された回転運動支点を基点にして回転運動が可能なように設けられるアームアセンブリと、からなるとともに、当該アームアセンブリを、上記クランプ機構を形成する回転運動支点を基点にして回転運動可能なように、かつ、所定の傾斜角を有した状態で取付けられるベースアームと、当該ベースアームの上側に設けられ、かつ、当該ベースアーム上を相対スライド移動可能なように形成されるものであって、上記ベースアームの一方の端部側に設けられた軸受部のところをスライド移動が可能なように設けられたスライドシャフトを内部に有するスライドアームと、からなるようにし、更に、上記スライドアームの一方の端部側であって、その上側に設けられるとともに操作者の腕部の一部である肘部のところを保持するように形成された肘置きホルダを有するようにした構成を採ることとした。